(57)【要約】      （修正有）【課題】費用効果が大きく、視覚的に魅力的で、壁面に対して垂直方向に調整可能なヒンジを提供する。【解決手段】ヒンジ・アーム１２は、ほぼＵ字形の断面を有し、Ｕ字形の脚部は、それらの自由端によって一つの家具の方を向き、固定フランジ２８は、開放脚部上に配置され、その家具に平行な平面で水平方向に曲げられている。ほぼＵ字形の断面は家具の方を向いた自由端で広がり、その結果断面は固定フランジ２８に対向して置かれたヒンジ・アーム１２の自由端でほぼ台形状に延び、固定フランジ２８に対向して配置されたヒンジ・アーム１２の自由端で、台形の断面は、平行なＵ字形脚部への連続した移行部３８を有している。さらに、少なくとも１本のヒンジ軸１４、１６がこの平行Ｕ字形脚部の領域内に形成され、台形の断面の互いに対向する脚部は、反った構造を持つ方式で不均一であり、ヒンジ１０を簡単な方式で調整することができる。【選択図】  図１
2004251099.tif 000002
【特許請求の範囲】
【請求項１】
ヒンジ・アーム（１２）として構築され、第２のヒンジ部（２７）と回転可能に接続された第１のヒンジ部を含む、少なくとも１本のヒンジ軸を持つヒンジにおいて、前記ヒンジ・アーム（１２）はほぼＵ字形の断面を有し、Ｕ字形の脚部はそれらの自由端によって一つの家具の方に向き、固定フランジ（２８）は前記開放脚部上に配置され、前記家具に平行な面内で水平方向に曲げられる、前記ヒンジであって、
ａ）前記ほぼＵ字形の断面が前記家具の方に向いた自由端で広がっており、前記断面が台形状に延びていること、
ｂ）固定フランジ（２８）に対向して配置されたヒンジ・アーム（１２）の自由端で、台形の断面が平行なＵ字形脚部への連続した移行部３８を有していること、
ｃ）少なくとも１本のヒンジ軸（１４、１６）がこれらの平行なＵ字形脚部の領域内で形成されていること、さらに、
ｄ）前記台形の断面を有する前記互いに対向する脚部が反った構造を持つ方式で不均一であること、
を特徴とする前記ヒンジ。
【請求項２】
前記ヒンジ・アーム（１２）の前記断面の前記反った部分（４０）が、外側に向けて曲がっていることを特徴とする、請求項１に記載のヒンジ。
【請求項３】
前記ヒンジ・アーム（１２）の前記断面の前記反った部分（４０）が、内側に向けて曲がっていることを特徴とする、請求項１に記載のヒンジ。
【請求項４】
前記家具の当該壁面（１９）に平行に延長する前記固定フランジ（２８）が、周囲に補強エッジ（３１）を有することを特徴とする、請求項１から３のいずれか１項に記載のヒンジ。
【請求項５】
前記ヒンジ・アームが、前記台形状に反った領域内に弾性構造を持つことを特徴とする、請求項１から４のいずれか１項に記載のヒンジ。
【請求項６】
調整用ネジ（３４）が提供され、それを用いて前記Ｕ字形脚部間の連続した移行部（３８）が垂直方向に調整可能であることを特徴とする、請求項１から５のいずれか１項に記載のヒンジ。
【発明の詳細な説明】
【発明の説明】
【０００１】
本発明は、請求項１の前段部に従うヒンジに関する。従来、１つの家具の壁面に接続された取付け板と、それに固定され、取付け板に調整可能に接続されたヒンジ・アームとからなるヒンジが使用されてきた。この種のヒンジは、たとえば、ドイツ特許文献ＤＥ３５１３５２１Ａ１によって知られている。
【０００２】
取付け板をヒンジ・アームと一体に製作し、調整用ネジを用いてヒンジ・アームと接続された取付け板をヒンジの下方で曲げることも知られている。ドイツ特許文献ＤＥ２００２０９９８Ｕ１を参照のこと。
【０００３】
本発明の目的は、より費用対効果が大きく、同時に視覚的により魅力的な方式で、１つの家具の壁面に対して垂直方向に調整可能な、この種のヒンジを設計することである。
【０００４】
本発明によれば、本発明の目的は、
ａ）ほぼＵ字形の断面が、当該家具の方に向いた自由端で広がっており、その断面が台形状に延びていること、
ｂ）固定フランジに対向して配置されたヒンジ・アームの自由端で、台形の断面が平行なＵ字形脚部への連続した移行部３８を有していること、
ｃ）少なくとも１本のヒンジ軸が、これらの平行なＵ字形の脚部の領域内に形成されること、
ｄ）台形の断面を有する互いに対向する当該脚部が、反った構造を持つ方式で不均一であること、において達成される。
【０００５】
その結果、ヒンジは、簡単な方式で垂直方向に調整でき、かつヒンジの外部形状のために、閉じた外観を有する。垂直調整自体は、たとえば調整用ネジを用いて行うことができる。
【０００６】
好ましい実施形態によれば、反った構造を持つヒンジ・アームの領域は、外側に反っており、その結果、調整のためにヒンジ・アームは特に弾力的な構造を持つ。
【０００７】
別の実施形態によれば、前記領域は内側に反っている。別の実施形態では、固定フランジが周囲に補強エッジを有し、その結果、当該家具の壁面に対してしっかりと固定することができる。
【０００８】
別の実施形態では、横方向の壁面が反っているヒンジ・アームの長手領域が弾性構造を持つ。
【０００９】
以下に図面を用いて、本発明を詳細に記述する。
【００１０】
参照番号１０は、ヒンジ・アーム１２とその中に配置された２本のヒンジピン１４、１６からなるヒンジの全体を示し、２本の連結レバー１８、２０は回転可能に配置され、たとえば当該家具の扉２５内に埋め込まれたヒンジ・ハウジング２７に、ヒンジピン２２、２４を用いて対向する両端で回転可能に接続されている。このようなヒンジ・アームをＤおよびＥ方向に調整できるようにするために、ヒンジ・アームには、締付ネジ用の長孔３０と、端末を曲げて作られた補強エッジ３１が備え付けられている。このことにより、Ｅ方向の調整が可能となる。
【００１１】
ヒンジピン１４、１６のＤ方向の調整を望む場合は、ヒンジ・アーム１２のネジ山３６内に配置された調整用ネジ３４が働く。調整用ネジが当該家具の壁面１９に対して押し付けられるように回転すると、ヒンジ・アーム１２のヨーク３８が、当該家具の壁面１９から押し返される。ヒンジ・アーム１２の反った側壁４０が弾力的にへこみ、したがってヒンジピン１６、１４および扉２５のＤ方向の調整が可能となる。反った側壁４０およびヨーク３８または連続的な移行により広がった脚部を有するＵ字形の断面は、当該家具の壁面１９に接続され、ほぼ台形が形成される。この場合の用語「台形」は、より広範囲な意味で、曲がった脚部をも含む。
【００１２】
図１の実施形態は、所謂マルチジョイント・ヒンジである。ここで、連結レバー１８、２０のベアリングは荷重要求に対応することが必要である。なぜならこれらの連結レバー１８、２０は、紙面に直角の方向に作用する固定荷重を支える必要があるからである。図４に例示してあるように、この領域内ではヒンジ・アーム１２の反った部分４０が互いに平行に延びている。図２に具体的に例示してあるように、この平行な壁面領域は、連続的に次第に反った領域へと移行する。図２はまた反りが、外側に向けても内側４０に向けても構築できることを示す。調整用ネジ３４の力により、扉２５が矢印Ｄの方向及び逆方向に弾性のある動きに従うように、この領域内で弾性のある方式でヒンジ・アーム１２を構築することが非常に重要である。  固定ねじ２９が長孔３０を通してフランジ２８に達するので、矢印Ｅの方向及び逆方向にヒンジ・アーム１２を調整することが可能となる。
【図面の簡単な説明】
【００１３】
【図１】ヒンジを示す側面図である。
【図２】図１の線Ｂ−Ｂに沿った断面図である。
【図３】図１の線Ｃ−Ｃに沿った断面図である。
【図４】図１の線Ａ−Ａに沿った断面図である。
【符号の説明】
【００１４】
１０…ヒンジ、１２…ヒンジ・アーム、１４、１６…ヒンジピン、ヒンジ軸、１８、２０…連結レバー、２２、２４…ヒンジピン、２５…扉、２７…ヒンジ・ハウジング、第２のヒンジ部、２８…フランジ、２９…固定ネジ、３０…長孔、３１…補強エッジ、３４…調整用ネジ、３６…ネジ山、３８…ヨーク。
【図１】
2004251099.tif 000003
【図２】
2004251099.tif 000004
【図３】
2004251099.tif 000005
【図４】
2004251099.tif 000006
【外国語明細書】
2004251099.tif 000007
2004251099.tif 000008
2004251099.tif 000009
2004251099.tif 000010
2004251099.tif 000011
2004251099.tif 000012
2004251099.tif 000013
2004251099.tif 000014
2004251099.tif 000015
2004251099.tif 000016
2004251099.tif 000017
2004251099.tif 000018
2004251099.tif 000019
2004251099.tif 000020
2004251099.tif 000021
2004251099.tif 000022